(57)【特許請求の範囲】
【請求項１】
上り／下りの双方向の通信を行う光伝送路の少なくとも２系統に対して適用され、
それぞれの光伝送路を通して伝送される上り／下りの光信号を各々増幅するそれぞれの系統の光増幅部と、
それぞれの前記光増幅部に励起光を供給するそれぞれの系統の励起光駆動部と、
それぞれの前記励起光駆動部を監視制御するそれぞれの系統の監視制御部とを有する光増幅中継器において、
それぞれの前記監視制御部に電力を供給する同一の給電部を備え、
各前記監視制御部が、
他方の前記監視制御部の動作状態を示す検出出力を自己の系統の前記光伝送路の受信機側に伝送する検出手段と、
自己の系統の前記光伝送路の光送信機側からの、前記他方の監視制御部の制御不能状態であり初期化を指示する旨の指示信号に応答し、前記他方の監視制御部に対しその制御プログラムを初期化するリセット信号を出力する制御手段とを有することを特徴とする光増幅中継器。
【請求項２】
一方の光伝送路の光増幅部に励起光を供給する励起光駆動部に電力を供給する第１の給電部と、
他方の光伝送路の光増幅部に励起光を供給する励起光駆動部に電力を供給する第２給電部と、
２つの前記励起光駆動部をそれぞれ監視制御する監視制御部に電力を供給する第３の給電部とを有し、これらの給電部が共通の給電路に縦列に接続されたことを特徴とする請求項１に記載の光増幅中継器。
【発明の詳細な説明】
【０００１】
【発明の属する技術分野】
この発明は例えば、海底にケーブルを敷設して双方向に通信を行う２系統以上の光伝送路を有する光通信システムに適用され、光信号を増幅し、励起光を監視制御する光増幅中継器に関するものである。
【０００２】
【従来の技術】
伝送する情報量の増加に伴い双方向通信を行う光伝送路を複数本、例えば、２×Ｎ（Ｎ＝１，２，３…）の系統の双方向光伝送路を海底に敷設するようになってきた。それぞれの系統の光伝送路には、光増幅中継器を適所に設け劣化する光信号の増幅を行い、また光増幅中継器の監視制御を行っており、これらの各光増幅中継器における監視制御部および励起光駆動部を動作させるための給電部は複数の系統毎に夫々独立した構成が採られている。
【０００３】
図３は双方向に通信が可能な光伝送路を２系統有する光通信システムに適用された従来の光増幅中継器を示すブロック図である。
図において、１０は光信号を伝送するケーブルであり、光ファイバからなる光伝送路１０ａ，１０ｂおよび給電路１０ｃからなる。光伝送路１０ａ，１０ｂはそれぞれが双方向に通信を行えるように光ファイバ対で構成されている。１１は光増幅中継器であり、光伝送路１０ａ，１０ｂを通る上り／下りの光信号を増幅するものである。１３，１４は、光増幅中継器１１に設けられ、給電路１０ｃに縦列に接続された給電部である。１５，１６は励起光発生とその駆動を行う励起光駆動部であり、１７，１８は各励起光駆動部１５，１６をそれぞれ監視制御する監視制御部である。１９，２０は光増幅部で、各光伝送路１０ａ，１０ｂの上り／下り線に対して光増幅器１９ａ，１９ｂ，２０ａ，２０ｂを備えている。給電部１３は励起光駆動部１５および監視制御部１７に電力を供給している。また、給電部１４は励起光駆動部１６および監視制御部１８に電力を供給している。
【０００４】
次に動作について説明する。
一方の光伝送路１０ａにおいて、上り／下り双方の光送信機（図示せず）からそれぞれ光信号が光増幅中継器１１に送信される。光増幅中継器１１では、入力された各光信号が光増幅部２０により所定の増幅度で増幅され光伝送路１０ａの双方の側に設けられた光受信機（図示せず）に送信される。また、他方の光伝送路１０ｂにおいても、上り／下り双方の光送信機（図示せず）からそれぞれ光信号が光増幅中継器１１に送信されて来る。光増幅中継器１１では、この入力された各光信号が光増幅部１９により所定の増幅度で増幅され光伝送路１０ｂの双方の側に設けられた光受信機（図示せず）に送信される。
【０００５】
ここで、監視制御部１７，１８はそれぞれ励起光駆動部１５，１６の内部状態や増幅度などを監視する。また、光伝送路１０ａ，１０ｂを介して、光送信機からの指示により、監視データをそれぞれの光伝送路１０ａ，１０ｂの受信機側に送信したり、増幅度の調整等の制御動作を行う。これらの監視および制御動作は監視制御部１７，１８に内蔵されたマイクロコンピュータにより行われる。
【０００６】
【発明が解決しようとする課題】
従来の光増幅中継器１１は以上のように構成されているので、監視制御部１７または１８の制御プログラムが暴走した場合、監視制御が不可能になるという課題があった。
【０００７】
この発明は上記のような課題を解決するためになされたもので、異なる光伝送系の監視制御部が動作状態を互いに監視し、制御プログラムの暴走時に初期化できるようにした光増幅中継器を得ることを目的とする。
【０００８】
【課題を解決するための手段】
この発明に係る光増幅中継器は、上り／下りの双方向の通信を行う光伝送路の少なくとも２系統に対して適用され、それぞれの光伝送路を通して伝送される上り／下りの光信号を各々増幅するそれぞれの系統の光増幅部と、それぞれの光増幅部に励起光を供給するそれぞれの系統の励起光駆動部と、それぞれの励起光駆動部を監視制御するそれぞれの系統の監視制御部とを有する光増幅中継器において、それぞれの監視制御部に電力を供給する同一の給電部を備え、各監視制御部が、他方の監視制御部の動作状態を示す検出出力を自己の系統の光伝送路の受信機側に伝送する検出手段と、自己の系統の光伝送路の光送信機側からの、他方の監視制御部の制御不能状態であり初期化を指示する旨の指示信号に応答し、他方の監視制御部に対しその制御プログラムを初期化するリセット信号を出力する制御手段とを有するものである。
【０００９】
この発明に係る光増幅中継器は、一方の光伝送路の光増幅部に励起光を供給する励起光駆動部に電力を供給する第１の給電部と、他方の光伝送路の光増幅部に励起光を供給する励起光駆動部に電力を供給する第２給電部と、２つの励起光駆動部をそれぞれ監視制御する監視制御部に電力を供給する第３の給電部とを有し、これらの給電部が共通の給電路に縦列に接続されたものである。
【００１０】
【発明の実施の形態】
以下、この発明の実施の一形態を説明する。
実施の形態１．
図１において、実施の形態１による光増幅中継器の概略構成を示す。図２は図１に示す光増幅中継器の給電関係を示すブロック図である。図において、図３と同一符号は同一または相当部分を示す。
図において、１は光増幅中継器であり、双方向通信を行う２系統の光伝送路１０ａ，１０ｂを通る光信号を増幅する。２，３，４は光増幅中継器１に設けられた給電部であり、給電路１０ｃ上に縦列に接続されている。５，６は励起光駆動部１５，１６を監視制御する監視制御部である。７は監視制御部５，６間に設けられた配線路で、後述する検出手段および制御手段の信号の送受信を行うための総称的に示した配線路である。
【００１１】
図２に示すように、給電路１０ｃに縦続接続された各給電部２，３，４はそれぞれツェナーダイオード２ａ，３ａ，４ａで構成され、各両端に発生する電圧を電源として用いている。監視制御部５，６には同一の給電部２のツェナーダイオード２ａ介して電力が供給される。一方の励起光駆動部１５には給電部３のツェナーダイオード３ａを介して電力が供給され、また励起光駆動部１６には給電部４のツェナーダイオード４ａから電力が供給されている。
【００１２】
次に動作について説明する。
なお、通常の光信号の増幅および監視制御の動作に関しては図３に示す従来の光増幅中継器１１と同様なので、ここでは説明を省略する。
例えば、一方の監視制御部５の制御プログラムが暴走して、光伝送路１０ｂの光送信機（図示せず）から監視制御部５の制御ができなくなったとする。このとき、他方の監視制御部６が監視制御部５の動作状態を配線路７を通して検出し、その検出出力を光伝送路１０ａの例えば上り側の光受信機に送る。その光受信機側で監視制御部５の制御不能状態であることを確認すると、光送信機から光伝送路１０ａの下り線を使い制御プログラムの初期化を指示する指示信号が監視制御部６に送られる。すると、監視制御部６は配線路７を通して監視制御部５にリセット信号を送り、これにより、監視制御部５では、論理回路（図示せず）より構成されるリセット回路が動作し、制御プログラムを初期化する。したがって、監視制御部５は、制御プログラムが正常に戻りマイクロコンピュータが再起動し、正常な動作状態に復帰する。同様に、監視制御部６の動作状態は監視制御部５により検出・制御するように構成されている。
以上の動作、すなわち監視制御部５，６間で互いにリセット信号の授受が可能となるのは、これら監視制御部５，６への電力供給が同一電位の給電部２から行われているからである。
【００１３】
これらの検出・制御の動作は、各監視制御部５，６のマイクロコンピュータを介して達成されるが、次のような手段から構成される。それらは、一方の光伝送路１０ｂ（または１０ａ）の系統の監視制御部５（または６）の動作状態を他方の系統の監視制御部６（または５）で検出し、その検出信号を他方の光伝送路１０ａ（または１０ｂ）を介して光受信機側に伝送する検出手段と、検出確認した他方の光伝送路１０ａ（または１０ｂ）の光送信機からの指示信号を受け監視制御部６（または５）から監視制御部５（または６）に制御プログラムを初期化するリセット信号を出力する制御手段である。
【００１４】
以上のように、この実施の形態１によれば、一方の監視制御部５または６の制御プログラムに不具合が発生した場合、他方の監視制御部６または５から、その不具合の発生した制御プログラムを初期化し、マイクロコンピュータを再起動でき、監視制御部５，６の動作状態を安定に管理できる効果が得られる。また、給電部２，３，４が区分けされ、共通の給電路に縦列に接続されように構成したので、電力供給先の各回路間相互の動作に影響を及ぼさないようにする効果が得られる。
【００１５】
【発明の効果】
以上のように、この発明によれば、上り／下りの双方向の通信を行う光伝送路の少なくとも２系統に対して適用され、それぞれの光伝送路を通して伝送される上り／下りの光信号を各々増幅するそれぞれの系統の光増幅部と、それぞれの光増幅部に励起光を供給するそれぞれの系統の励起光駆動部と、それぞれの励起光駆動部を監視制御するそれぞれの系統の監視制御部とを有する光増幅中継器において、それぞれの監視制御部に電力を供給する同一の給電部を備え、各監視制御部が、他方の監視制御部の動作状態を示す検出出力を自己の系統の光伝送路の受信機側に伝送する検出手段と、自己の系統の光伝送路の光送信機側からの、他方の監視制御部の制御不能状態であり初期化を指示する旨の指示信号に応答し、他方の監視制御部に対しその制御プログラムを初期化するリセット信号を出力する制御手段とを有するように構成したので、一方の監視制御部の制御用ソフトウェアプログラムに不具合が発生しても、他方の正常な監視制御部側からその不具合の発生したソフトウェアプログラムを初期化してマイクロコンピュータを再起動でき、それぞれの監視制御部の動作状態を遠隔制御により効率的に管理できる効果がある。
【００１６】
この発明によれば、一方の光伝送路の光増幅部に励起光を供給する励起光駆動部に電力を供給する第１の給電部と、他方の光伝送路の光増幅部に励起光を供給する励起光駆動部に電力を供給する第２給電部と、２つの励起光駆動部をそれぞれ監視制御する監視制御部に電力を供給する同一な第３の給電部とを有し、これらの給電部が共通の給電路に縦列に接続されように構成したので、各監視制御部間で互いにリセット信号の授受を可能とし、他の回路には独立した第１および第２の給電部から電力をそれぞれ供給するため相互の動作に影響を及ぼさないようにする効果がある。
【図面の簡単な説明】
【図１】  この発明の実施の形態１による光増幅中継器を示すブロック図である。
【図２】  図１に示す光増幅中継器の給電関係を示すブロック図である。
【図３】  従来の光増幅中継器を示すブロック図である。
【符号の説明】
１  光増幅中継器、２，３，４  給電部、２ａ，３ａ，４ａ  ツェナーダイオード、５，６  監視制御部、７  配線路、１０  ケーブル、１０ａ，１０ｂ  光伝送路、１０ｃ  給電路、１５，１６  励起光駆動部、１９，２０  光増幅部、１９ａ，１９ｂ，２０ａ，２０ｂ  光増幅器。
【図１】
0003904857.tif 000002
【図２】
0003904857.tif 000003
【図３】
0003904857.tif 000004